(57)【要約】【課題】  畝上に張設したマルチフィルムの側縁部を畝溝に敷設した溝部材側に強固に保持できるようにすることにある。【解決手段】  底面部３と両側の側面部４と側面部の上端の上縁部５を一体形成し、上縁部に差込み孔６を配置して、畝間溝内に敷設される畝間溝部材１と、マルチフィルムＦの側縁部ｆを刺通して、差込み孔６に挿通される押えピン２との組合わせからなり、畝を覆ったフィルムの側縁部を保持するようにしたマルチフィルムの張設装置を提供する。【選択図】図１
2005160365.tif 000002
【特許請求の範囲】
【請求項１】
底面部と、底面部の両側にそれぞれ連なる側面部と、側面部の上端の外側にそれぞれ畝肩に重なる上縁部とを一体形成するとともに、上縁部の長さ方向に沿って適宜間隔に差込み孔を配置して畝間溝内に敷設される樹脂製の畝間溝部材と、上記上縁部に、畝を覆うマルチフィルムの側縁部を重ねた上からフィルムの側縁部に刺通され、上記各差込み孔にそれぞれ挿通されて、畝上に張設したマルチフィルムの側縁部を保持するようにした押えピンとの組合わせからなるマルチフィルムの張設装置。
【請求項２】
前記畝間溝部材は、前記底面部と側面部とに水抜き孔をそれぞれ設け、前記押えピンは、上端部に適宜径のリングを形成し、このリングに挿通した押えパイプを隣接する押えピンのリングに挿通して前記畝上に張設したマルチフィルムの側縁部をより強固に保持できるようにしたことを特徴とする請求項１記載のマルチフィルムの張設装置。
【発明の詳細な説明】
【技術分野】
【０００１】
本発明は、農作用の畝を覆うマルチフィルムの張設装置に関し、特に風雨に対してマルチフィルムを強固に保持できるようにしたことを特長とするものである。
【背景技術】
【０００２】
従来、畝上を覆うマルチフィルムの固定構造としては、例えば、畝溝に敷設したマルチフィルムの溝底上に押え土を置くようにしたものがある（例えば、特許文献１、２、３参照）。また、畝溝に敷設したマルチフィルムの底部を縦または斜めに押し込んでフィルムの浮き上がりを防止するようにしたものがある（例えば、特許文献４、５参照））。
【０００３】
【特許文献１】特開平５−７４３０号公報
【特許文献２】特開平５−７４３１号公報
【特許文献３】特開平５−７４３２号公報
【特許文献４】特開平７−２３６３７４号公報
【特許文献５】特開平５−７４３３号公報
【０００４】
上記公知のマルチフィルム張設装置と張設構造は、装置全体が大規模になる、溝底に載せた押え土が排水を妨げ、農作業の邪魔になる場合があるなどの欠点がある。
【発明の開示】
【発明が解決しようとする課題】
【０００５】
以上のことから、本発明が解決しようとする課題は、張設装置をできるだけシンプルに形成して、手作業でも強固に張設状態を保持することができ、かつ、農作業上では、耕作者、作業車の通路となる畝間溝の機能が損なわれないようにすることにある。
【課題を解決するための手段】
【０００６】
そこで本発明は、上記の課題を解決するために、底面部と、底面部の両側にそれぞれ連なる側面部と、側面部の上端の外側にそれぞれ畝肩に重なる上縁部とを一体形成するとともに、上縁部の長さ方向に沿って適宜間隔に差込み孔を配置して、畝間溝内に敷設される樹脂製の畝間溝部材と、上記上縁部に、畝を覆うマルチフィルムの側縁部を重ねた上からフィルムの側縁部に刺通され、上記各差込み孔にそれぞれ挿通されて、畝上に張設したマルチフィルムの側縁部を保持するようにした押えピンとの組合わせからなるマルチフィルムの張設装置を提供するもので、使用する器材がきわめてシンプルであることから、手作業でもマルチフィルムの張設状態を強固に保持することができ、押え土を使わない施工ができるので、畝間溝本来の機能が損なわれない。
【０００７】
請求項２の発明は、本発明に係る畝間溝部材の底面部と側面部とに水抜き孔をそれぞれ設け、押えピンには、上端部に適宜径のリングを形成し、このリングに挿通した押えパイプを隣接する押えピンのリングに挿通することにより畝上に張設したマルチフィルムの側縁部をより強固に保持できるようにしたことを特徴とするものである。
【発明の効果】
【０００８】
本発明に係るマルチフィルムの張設装置は、畝間溝内に敷設される樹脂製の畝間溝部材と、マルチフィルムの側縁部を刺通して畝間溝部材の上縁部に配置した差込み孔に挿通される押えピンとの組合わせとからなるきわめてシンプルな構成であるから、安価に提供できるとともに、手作業でもマルチフィルムの張設ができる。また、溝底の押え土が不要であるから農作業の妨げもない。
【発明を実施するための最良の形態】
【０００９】
畝間溝内に敷設される樹脂製の畝間溝部材は、底面部と、側面部と、側面部の上端の外側に、畝肩に重なるように具えた上縁部とを一体形成するとともに、上縁部の長さ方向に適宜間隔で差込み孔を配置する。畝上に張設したマルチフィルムの側縁部を保持するよう備えた押えピンは、畝間溝部材の上縁部に重ねたマルチフィルムの側縁部を刺通して、各差込み孔にそれぞれ挿通させるようにしたマルチフィルムの張設装置。
【実施例】
【００１０】
以下に本発明の実施例を説明する。
図１は、本発明に係るマルチフィルムの張設装置の使用状態を示す一部切欠斜視図、図２は、本発明に係る押えピンの使用状態を示す一部切欠拡大立面である。
【００１１】
図において、１は、畝ＡとＢとの間に長さ方向に沿って敷設する畝間溝部材、２は、マルチフィルムＦの側縁部ｆを畝間溝部材１に固定する押えピンである。
畝間溝部材１は、図示のように底面部３と、底面部３の両側に起立する側面部４と、側面部４の上端から横に延設されて、畝ＡとＢの畝肩に重ねられる上縁部５を一体形成し、上縁部５に適宜の間隔で差込み孔６を有する。
【００１２】
この実施例において、畝間溝部材１は、図１に示すように、底面部３と側面部４とにそれぞれ互いに適宜の間隔を置いて水抜き孔７を具え、図示を省略しているが、一方の端部に外形を大きく形成した継手部を具え、長さ方向に継ぎ足して敷設されるものである。
押えピン２は、畝Ａ、Ｂを覆って畝間溝部材１の上縁部５に重ね合わされたマルチフィルムＦの側縁部ｆを上から刺し通して、図１に示すように、差込み孔６に挿通することにより該側縁部ｆを固定する。
【００１３】
なおこの実施例において、畝間溝部材１の上縁部５は凹面に形成され、各押えピン２は、上端部に適宜径のリング８を具え、このリング８と凹面の上縁部５との間でフィルムＦの側縁部ｆを挟持するようにしている。また、側縁部ｆの固定に際して、各リング８に対して、１本の押えパイプ９を図示のように挿通すれば、上記側縁部ｆの挟持、固定をより強固に形成して風雨に強いマルチを張設することができる。
【００１４】
また、上記した畝間溝部材１の敷設に先立って、畝Ａ、Ｂの上から土壌の消毒液を散布し、浸透させて黒フィルムで覆い、後から畝間に溝部材１を敷設すれば、上縁部５と側面部４の裏側で該フィルムの側縁部を挟持させることができる。このような畝間溝部材１の使用に際しては、水抜き孔７に押えピン２、あるいは楔形のピンを刺通することによって黒フィルムを張設すると、消毒中の培土の養生が雨水強風に対しても強固にでき、器材の有効利用を促進することができる。
【産業上の利用可能性】
【００１５】
図示した実施例は、主としてイチゴ栽培用に用いられる場合のものであるが、本発明の実施に際しては栽培する作物の種類は任意である。また、畝間溝部材１にはＰ．Ｐを、押えピン２とパイプ９にはＡＢＳを使用しているが樹脂の素材は問わない。さらに畝間溝部材１の形状も実施例の態様に限らず、本発明の要旨にそって設計変更することができる。
【図面の簡単な説明】
【００１６】
【図１】本発明に係るマルチフィルムの張設装置の使用状態を示す一部切欠斜視図である。
【図２】本発明に係る押えピンの使用状態を示す一部切欠拡大立面である。
【符号の説明】
【００１７】
Ａ、Ｂ  畝
１  畝間溝部材
２  押えピン
３  底面部
４  側面部
５  上縁部
６  差込み孔
７  水抜き孔
８  リング
９  パイプ
Ｆ  マルチフィルム
ｆ  側縁部
【図１】
2005160365.tif 000003
【図２】
2005160365.tif 000004